(57)【要約】【目的】従来、ゴルフ場において、バンカーや、深いラフからの脱出が苦手であるゴルファーが多く、従来のウエッジ類ではゴルフスイング技術がバンカーや深いラフの脱出において不可欠なものであり練習量も多大であるため、バンカーや深いラフから楽に脱出できるダブル平面エッジ付きゴルフクラブを提供する。【構成】ゴルフクラブウエッジのフェース面３に対してリーディングエッジ角４を直角に近い角度として、エッジ２の面と１１の面を３ミリから１５ミリの厚みをつけることとする。【効果】エッジ面２と１１の３ミリから１５ミリの平面幅が砂、及び芝生、雑草を容易に均等にかきわけられた。【選択図】  図１
2004154497.tif 000002
【特許請求の範囲】
【請求項１】
ゴルフクラブウエッジ（１）に於て、リーディングエッジ部が従来のエッジ（５）と異なり、砂を均等に容易にかきわけることができる平面のエッジ（２）と（１１）を設け、フェース面（３）に対して直角に近いエッジ角（４）と後方に同様（１２）の角をつけ、エッジ部の幅が３ミリ〜１５ミリの２つの平面の幅をもうけた、平面ダブルエッジ付きゴルフクラブ。
【発明の詳細な説明】
【０００１】
【産業上の利用部分】
本発明はゴルフプレーにおいて、バンカー内の砂や深いラフの芝生、雑草から容易に脱出出来うる３ミリ〜１５ミリの幅を２つ付けたエッジ面（２）と（１１）を設けた、アイアンゴルフクラブウエッジに関するものである。
【０００２】
【従来の技術】
従来ゴルフコースの、バンカーや深いラフにおいて、バンカーや、深いラフからの脱出が苦手であるゴルファーが多く、従来のウエッジ８ではゴルフスイング技術が、バンカーや深いラフ脱出において不可決なものであり、練習量も多大であった。
【０００３】
【発明が解決しようとする課題】
本発明は、楽にバンカー内や深いラフから脱出出来うる様に、バンカー内の砂、深いラフの芝生や雑草を容易にかきわけるリーディングエッジ部２と１１を持った、ゴルフクラブ、ウエッジの提供を目的とするものである。
【０００４】
【課題を解決するための手段】
本発明は、ゴルフクラブウエッジ（１）に於いて、リーディングエッジ部（２）を３ミリ〜１５ミリの厚さにし２つのエッジ面を形成したゴルフクラブウエッジ。グリーン回りのバンカー及び深いラフからのアプローチにおいて、技術を要するバンカーショット、深いラフからグリーンへの難しいアプローチショットを容易に脱出出来うるよう、上記問題点を解決するために、エッジ５の部分をフェース面３に対し直角のエッジ角４をとり、エッジ面２に３ミリ６〜１５ミリ７の幅を作り、砂、のびた芝生、雑草のかきわけを容易にする手段を講じたものである。
【０００５】
本発明の明細書に於ける説明では、３ミリ６と、１５ミリ７の幅を持つ２種類のヘッドを説明するが、４ミリ、５ミリ、６ミリ、７ミリ、８ミリ、９ミリ、１０ミリ、１１ミリ、１２ミリ、１３ミリ、１４ミリ、の幅の種類も設定している。使用方法は３ミリ６と１５ミリ７に準じた方法で使用する。
【０００６】
本発明は前述の手段を講じたので、バンカー内の砂や、深いラフからの脱出においては通常のエクスプロージョンショットの打ち方で使用する。
【０００７】
【作用】
本発明の中で、エッジ部２と１１の３ミリ６〜１５ミリ７の厚さの違いは、砂のかたさやラフの深さにより使用を分けるものとし、３ミリ厚６のうすめのエッジはバンカー内のかたい砂、しめった砂、重い砂、深いラフ内に有効であり。
１５ミリ厚７のエッジは、バンカー内のさらさらの砂、やわらかい砂、かるい砂に有効である。
【０００８】
【実施例】
以下、本発明の実施例に従って説明する。
【０００９】
２面エッジの幅１５ミリ７のウエッジを使用する状況を説明する。バンカー内の砂の状態が、かるい砂、さらさらの砂、やわらかい砂の場合、通常のエッジ５を持つウエッジ８ではボールの手前数センチ、砂を掻き分ける量、ヘッドが砂に入る角度等が、少しでもずれると脱出に失敗する確率が高いが、２面エッジ幅１５ミリ７のウエッジでは砂の掻き分けが均等に行われる為バンカーショットが不得手なプレーヤーでも楽に、通常のエクスプロージョンショットで砂の中から脱出出来うる。
【００１０】
２面エッジの幅３ミリ６のウエッジを使用する状況を説明する。バンカー内の砂の状態が、重い砂、しめった砂、かたい砂、コース内の深いラフ、通常のラフの場合、２面エッジの幅１５ミリ７のウエッジではエッジの幅が１５ミリと厚い為、重い砂、しめった砂、かたい砂、ラフ内の芝生、雑草等の抵抗によりヘッドが跳ね返りやすくボールの下に入りにくい為、ボールがおもわぬ方向に飛び出す可能性が高い、そこで２面エッジ幅３ミリ６のウエッジを使用する。２面エッジ幅３ミリ６のウエッジは、エッジ幅が１５ミリ７のウエッジより薄いため重い砂、しめった砂、かたい砂、ラフ内の芝生、雑草等の抵抗を受けにくいので、ねらった方向にボールを運び出しやすくする働きをもつものである。
【００１１】
エッジ幅３ミリ６のウエッジを、かるい砂、さらさらの砂、やわらかい砂の中で使用する場合、エッジ幅が３ミリと薄い為、砂を取り過ぎたり、砂の中にヘッドがもぐりすぎる失敗が多大である。したがってかるい砂、さらさらの砂、やわらかい砂の状態のときはエッジ幅１５ミリ７を持つウエッジを使用する事が好適である。
【００１２】
ヘッド部１の材質は、軟鉄鍛造、軟鉄鋳造、ステンレスでもよいが、出来れば軟鉄鍛造又はマイルドステンレスの方がロフト角９、ライ角１０を微調整出来るので望ましい。
【００１３】
本体のロフト角９は、５０度前後から６０度前後の間で自由に設定出来るように種類を設け、ライ角１０も６０度前後から７０度前後の間で設定して、材質を軟鉄鍛造又はマイルドステンレスとすれば微調整が出来る。
【００１４】
【発明の効果】
本発明のウエッジは通常のサンドウエッジより、リーディングエッジに２つの幅を持たせることにより、砂が均等に掻き分けられ、エクスプロージョンショットでの砂の爆発力が増し、砂を取る量を今までのスイング技術に依るものでなく、バンカー内、深いラフに於いても通常のエクスプロージョンショットで楽に脱出できるウエッジである。
【図面の簡単な説明】
【図１】本発明の第一実施例を示す斜視図である。
【図２】本発明の第一実施例を示す断面図である。
【図３】本発明の第一実施例を示す正面図である。
【図４】本発明の第一実施例を示す背面図である。
【図５】本発明の第一実施例を示すエッジ部の拡大図である。
【図６】本発明の第二実施例を示す断面図である。
【図７】通常のウエッジの断面図である。
【符号の説明】
１・・エッジに幅をつけたゴルフクラブウエッジ。
２・・幅をつけたエッジ面。
３・・フェース面。
４・・エッジに幅をつけたウエッジのフェースとエッジ面の角度。
５・・通常のエッジ。
６・・３ミリの幅をつけたエッジ面。
７・・１５ミリの幅をつけたエッジ面。
８・・通常のゴルフクラブウエッジ。
９・・ゴルフクラブのロフト角。
１０・・ゴルフクラブのライ角。
１１・・幅をつけた２つめのエッジ面。
１２・・エッジに幅をつけたウエッジのソールとエッジ面の角度。
【図１】
2004154497.tif 000003
【図２】
2004154497.tif 000004
【図３】
2004154497.tif 000005
【図４】
2004154497.tif 000006
【図５】
2004154497.tif 000007
【図６】
2004154497.tif 000008
【図７】
2004154497.tif 000009